(57)【要約】【課題】小型化が可能であり、メンテナンス性を向上することが可能な空調制御室を提供すること。【解決手段】空調制御室（１）は、建物内の隔壁（１８）によって第１空間（１０ａ）および第２空間（１０ｂ）に仕切られている室（１０）と、第１空間に配置される空調機（２０）と、第１空間内において、空調機から送り出される空調空気を受け入れる風受け材（３１）と、風受け材を通過した空気を受け入れる筐体（４０）と、第２空間に配置される主ダクト（６０）と、筐体に送られてきた空調空気を前記主ダクトに向けて送り出す送風機（５０）とを備える。【選択図】図４
2020159680.tif 000002
【特許請求の範囲】
【請求項１】
熱交換した空調空気を建物の複数の部屋に送り出す空調制御室であって、
前記建物内の隔壁によって第１空間および第２空間に仕切られている室と、
前記第１空間に配置される空調機と、
前記第１空間に配置され、前記空調機から送り出される空調空気を受け入れる風受け材と、
前記風受け材に気密性を保って接続され、前記風受け材を通過した空気を受け入れる筐体と、
前記第２空間に配置され、長手方向の一方端が前記筐体と気密性を保って接続され、長手方向の他方端が前記複数の部屋に空調空気を送り出す分岐ダクトと接続される主ダクトと、
前記筐体に送られてきた空調空気を前記主ダクトに向けて送り出す送風機とを備える、空調制御室。
【請求項２】
前記空調機は、外気を取り入れる吸い込み口と、前記吸い込み口から取り入れた外気を熱交換して吐き出す吐き出し口とを含み、
前記吐き出し口は、横方向に延びており、
前記風受け材の横方向の寸法は、前記吐き出し口の横方向の寸法よりも大きい、請求項１に記載の空調制御室。
【請求項３】
前記風受け材の横方向の寸法は、前記筐体の横方向の寸法よりも大きい、請求項１または２に記載の空調制御室。
【請求項４】
前記室は、前記建物の複数の立壁により囲まれており、
前記立壁のうちの１つは、開閉可能なドア本体により閉じられる開口部を有し、
前記開口部を有する前記立壁には、外気を取り入れる外気取り入れ口が設けられ、
前記空調機は、前記外気取り入れ口と前記風受け材との間に位置する、請求項１〜３のいずれかに記載の空調制御室。
【請求項５】
前記ドア本体は、前記開口部に設けられるドア枠に取り付けられており、
前記ドア枠と前記ドア本体の下部との間には、隙間が設けられており、
前記隙間は、前記ドア本体を閉めた場合に、前記隙間を遮蔽する遮蔽部材で埋められている、請求項４に記載の空調制御室。
【請求項６】
熱交換した空調空気を建物の複数の部屋に送り出す空調制御室であって、
前記空調制御室は、前記建物の立壁により構成された一対の側壁、後壁、および、開閉可能なドア本体が設けられた前壁によって囲まれた室であり、
前記一対の側壁間に掛け渡され、前記前壁側の第１空間と前記後壁側の第２空間とを仕切る隔壁と、
前記前壁に設けられ、室外の空気を前記第１空間に取り入れるための外気取り入れ口と、
前記第１空間に配置され、前記外気取り入れ口から取り入れた空気を吸い込んで、吐き出し口から空調空気を吐出する空調機と、
前記空調機から吐出された空調空気を取り込んで、前記第２空間に配置された主ダクトに空調空気を送り出す送風ユニットと、
前記ドア本体が閉じられた状態において前記ドア本体とドア枠との間の隙間を遮蔽する遮蔽部材とを備える、空調制御室。
【請求項７】
前記送風ユニットは、前記空調機からの空調空気を浄化するためのフィルタ部材が露出して設けられたフィルタユニットを含み、
前記送風ユニットに取り付けられ、前記フィルタユニット内に空調空気を導くための風受け材をさらに備え、
前記フィルタ部材は、前記フィルタユニットの上端部に位置し、前記空調機からの空調空気を受ける上面部を有しており、
前記風受け材は、前記フィルタユニットの前方側の上端部から上方に立ち上がる立ち上がり部と、前記立ち上がり部の上端から後方側へ突出する突出部とを含む、請求項６に記載の空調制御室。
【請求項８】
前記空調機は、前記吐き出し口に設けられた風向フラップを有しており、
前記風受け材の上端高さは、前記風向フラップの上端部よりも上方、または、当該上端部と同じ高さに位置する、請求項７に記載の空調制御室。
【発明の詳細な説明】
【技術分野】
【０００１】
この発明は、熱交換した空調空気を建物の複数の部屋に送り出す空調制御室に関する。
【背景技術】
【０００２】
従来から、空調機と送風ファンとを備え、住宅の複数の部屋に空調空気を送風する空調システムが知られている。このような技術として、たとえば特開２０１６−９９０８７号公報（特許文献１）および特開２０１２−１５４６２３号公報（特許文献２）が挙げられる。
【０００３】
特許文献１の空調システムは、箱状の筐体内に、空調機、送風ファンおよび分配ダクトを設けることで、空調システムを小型化し、各階に設置することが可能であることが開示されている。
【０００４】
特許文献２の空調システムは、外気を取り入れる外気取入れ口を空調機の対向壁に設置し、空調空気と外気を混合する混合空間を形成することが開示されている。
【先行技術文献】
【特許文献】
【０００５】
【特許文献１】特開２０１６−９９０８７号公報
【特許文献２】特開２０１２−１５４６２３号公報
【発明の概要】
【発明が解決しようとする課題】
【０００６】
特許文献１の空調システムは、空調機、送風ファンおよび分岐ダクトをすべて収納するため、専用の大型筐体が必要となる。さらに、筐体自体に不具合が生じた際に、筐体が大型であるため、メンテナンスがしにくい。また、特許文献２の空調システムは、混合空間を形成する必要があるため、空調ユニットと送風ファンの設置距離が離れてしまい、空調システム自体が大型化してしまう。
【０００７】
本発明は、上記のような課題を解決するためになされたものであって、その目的は、小型化が可能であり、メンテナンス性を向上することが可能な空調制御室を提供することである。
【課題を解決するための手段】
【０００８】
本発明の一形態に係る空調制御室は、熱交換した空調空気を建物の複数の部屋に送り出す空調制御室であって、建物内の隔壁によって第１空間および第２空間に仕切られている室と、第１空間に配置される空調機と、第１空間内に配置され、空調機から送り出される空調空気を受け入れる風受け材と、風受け材に気密性を保って接続され、風受け材を通過した空気を受け入れる筐体と、第２空間に配置され、長手方向の一方端が筐体と気密性を保って接続され、長手方向の他方端が複数の部屋に空調空気を送り出す分岐ダクトと接続される主ダクトと、筐体に送られてきた空調空気を主ダクトに向けて送り出す送風機とを備える。
【０００９】
好ましくは、空調機は、外気を取り入れる吸い込み口と、吸い込み口から取り入れた外気を熱交換して吐き出す吐き出し口とを含み、空調空気を吐き出す空調機の吐き出し口は、横方向に延びており、風受け材の横方向の寸法は、吐き出し口の横方向の寸法よりも大きい。
【００１０】
好ましくは、風受け材の横方向の寸法は、筐体の横方向の寸法よりも大きい。
【００１１】
好ましくは、室は、建物の複数の立壁により囲まれており、立壁のうちの１つは、開閉可能なドア本体により閉じられる開口部を有し、開口部を有する立壁には、外気を取り入れる外気取り入れ口が設けられ、空調機は、外気取り入れ口と風受け材との間に位置する。
【００１２】
好ましくは、ドア本体は、開口部に設けられるドア枠に取り付けられており、ドア枠とドア本体の下部との間には、隙間が設けられており、隙間は、ドア本体を閉めた場合に、隙間を遮蔽する遮蔽部材で埋められている。
【００１３】
本発明の一形態に係る空調制御室は、熱交換した空調空気を建物の複数の部屋に送り出す空調制御室であって、空調制御室は、建物の立壁により構成された一対の側壁、後壁、および、開閉可能なドア本体が設けられた前壁によって囲まれた室であり、一対の側壁間に掛け渡され、前壁側の第１空間と後壁側の第２空間とを仕切る隔壁と、前壁に設けられ、室外の空気を第１空間に取り入れるための外気取り入れ口と、第１空間に配置され、外気取り入れ口から取り入れた空気を吸い込んで、吐き出し口から空調空気を吐出する空調機と、空調機から吐出された空調空気を取り込んで、第２空間に配置された主ダクトに空調空気を送り出す送風ユニットと、ドア本体が閉じられた状態においてドア本体とドア枠との間の隙間を遮蔽する遮蔽部材とを備える。
【００１４】
好ましくは、送風ユニットは、空調機からの空調空気を浄化するためのフィルタ部材が露出して設けられたフィルタユニットを含み、送風ユニットに取り付けられ、フィルタユニット内に空調空気を導くための風受け材をさらに備え、フィルタ部材は、フィルタユニットの上端部に位置し、空調機からの空調空気を受ける上面部を有しており、風受け材は、フィルタユニットの前方側の上端部から上方に立ち上がる立ち上がり部と、立ち上がり部の上端から後方側へ突出する突出部とを含む。
【００１５】
好ましくは、空調機は、吐き出し口に設けられた風向フラップを有しており、風受け材の上端高さは、風向フラップの上端部よりも上方、または、当該上端部と同じ高さに位置する。
【発明の効果】
【００１６】
本発明の空調制御室によれば、小型化が可能であり、メンテナンス性が向上する。
【図面の簡単な説明】
【００１７】
【図１】本発明の実施の形態１に係る空調制御室が用いられた建物を示す模式図である。
【図２】本発明の実施の形態１に係る空調制御室のドア本体を閉めた状態を示す正面図である。
【図３】本発明の実施の形態１に係る空調制御室の前壁を取り外して示す図であり、（ａ）は斜視図であり、（ｂ）は正面図である。
【図４】図２のＩＶ−ＩＶ線から見た空調制御室の模式断面図である。
【図５】本発明の実施の形態１に係る空調制御室の風受け材および筐体を取り出して示す図である。
【図６】本実施の形態２に係る空調制御室の模式断面図である。
【図７】本実施の形態２に係る空調制御室の風受け材および筐体を取り出して示す図であって、（ａ）は斜視図であり、（ｂ）は風受け材部分を示す断面図である。
【図８】（ａ）〜（ｃ）は、本実施の形態２に係る空調制御室における空気の流れを示す説明図である。
【発明を実施するための形態】
【００１８】
本発明の実施の形態について図面を参照しながら詳細に説明する。なお、図中同一または相当部分には同一符号を付してその説明は繰り返さない。
【００１９】
本実施の形態に係る空調制御室１は、熱交換した空調空気を建物の複数の部屋に送り出すものである。本実施の形態に係る空調制御室１の説明に先立ち、空調制御室１を採用した建物１００について説明する。
【００２０】
（実施の形態１）
＜概要について＞
図１を参照して、建物１００は、全館空調形式を採用している。建物１００は、たとえば２階建ての住宅であり、屋内空間には複数の部屋が配置されている。住宅１００の１階には、居室１１１，１１２および非居室１１３が配置されている。居室１１１は、たとえばリビングであり、居室１１２は、たとえば寝室などの個室である。非居室１１３は、階段１１４の上り口が設けられた通路室（廊下または玄関ホール）である。住宅１００の２階（すなわち最上階）には、複数の居室１１５，１１６および非居室１１７が配置されている。居室１１５，１１６は、たとえば寝室などの個室である。非居室１１７は、居室１１５側に階段１１４の下り口が設けられた通路室（廊下）である。つまり、階段１１４は１階と２階とを吹き抜ける吹抜け部であり、この階段１１４を介して、２階の非居室１１７と１階の非居室１１３とは仕切りなく通じている。そのため、これらの非居室１１３，１１７は、１つのホール部を構成している。これらの非居室１１３，１１７に面するように、空調制御室１がそれぞれ設けられる。空調制御室１については、後述する。
【００２１】
なお、本実施の形態において「部屋」とは、居室および非居室を含み、「居室」とは、居住、作業、娯楽などの目的のために継続的に使用する室をいい、「非居室」とは、居室以外の室のうち、衛生目的の室（たとえばトイレ、浴室）を除く室である。
【００２２】
住宅１００の１階と２階の間、および、２階と屋根の間には、天井空間１２０がそれぞれ形成されている。この天井空間１２０には、空調制御室１から延びる主ダクト６０（図４）に接続された分岐ダンパ６１が設けられる。分岐ダンパ６１は、複数の分岐ダクト６２に分岐する。分岐ダクト６２は、各部屋の天井仕切り部１２１に設けられる吹出し口７０に接続されている。これにより、空調制御室１から送り出される空調空気を室内１１０に送り込むことが可能である。以下、空調制御室１について説明する。
【００２３】
＜空調制御室について＞
図２〜図５をさらに参照して、本実施の形態に係る空調制御室１について詳細に説明する。図２〜図５において、矢印Ａ１で示す方向を上下方向といい、図２，３，５において、矢印Ａ２で示す方向を横方向といい、図４，図５において、矢印Ａ３で示す方向を奥行き方向という。なお、１階に設けられる空調制御室１について説明するが、２階に設けられる空調制御室１についても同様である。
【００２４】
上述のように、空調制御室１は、非居室１１３，１１７（図１）に面している。特に図４に示すように、空調制御室１は、建物１００内の隔壁１８によって第１空間１０ａおよび第２空間１０ｂに仕切られている室１０と、第１空間１０ａに配置される空調機２０および空調ボックス３０（風受け材３１および筐体４０）と、第２空間１０ｂに配置される送風機５０および主ダクト６０とを備える。
【００２５】
図３（ａ）および図４に示すように、室１０は、一対の側壁１１と、後壁１２と、前壁１３と、床壁１４と、天壁１５とで囲まれている。前壁１３には、非居室１１３，１１７と接する開口部が設けられている。開口部には、開閉可能なドア本体１６が設けられている。これにより、ドア本体１６を開けて、空調制御室１のメンテナンスを行うことが可能である。ドア本体１６は、典型的には開き戸であるが、たとえば引き戸、折れ戸などであってもよい。
【００２６】
図２に示すように、ドア本体１６は、前壁１３の開口部に設けられるドア枠１７に取り付けられている。ドア本体１６を閉めた場合に、ドア本体１６の下端縁１６ａ（図２）とドア枠１７との間の隙間は、遮蔽部材（図示せず）で埋められるように形成される。これにより、ドア本体１６とドア枠１７との密着性を高めることができ、ドア本体１６とドア枠１７との隙間の透過音を遮断することが可能である。遮蔽部材は、たとえばゴム、樹脂などの軟質材料で形成されることが好ましい。遮蔽部材は、ドア本体１６に設けられることが好ましいが、ドア枠１７に設けられていてもよい。なお、ドア枠１７は、ドア本体１６を取り付けるための枠であり、開口部に設けられる床面または壁面であってもよい。
【００２７】
ドア本体１６の上方には、外気を取り入れる外気取り入れ口１９が設けられている。外気取り入れ口１９は、略矩形形状の枠体１９ａと、枠体１９ａに支持される複数の羽板１９ｂとを含む。羽板１９ｂは、非居室１１３，１１７に向かって斜め下方に延びている。ここで外気とは、建物１００の内部、すなわち非居室１１３，１１７から取り入れられる空気であり、建物１００の外部から取り入れられる空気も含む。
【００２８】
図４を特に参照して、ドア本体１６と後壁１２との間には、隔壁１８が設けられている。隔壁１８は、天壁１５に取り付けられており、上下方向途中位置まで延びている。また、隔壁１８は、一対の側壁１１間に掛け渡されている。室１０は、この隔壁１８によって、奥行き方向前方に位置する第１空間１０ａと、奥行き方向後方に位置する第２空間１０ｂの２つの空間に仕切られる。具体的には、第１空間１０ａと第２空間１０ｂとは、上方が区切られており、下方が連通している。つまり、隔壁１８は、室１０の上方を前後方向に分断している。
【００２９】
上述のように、第１空間１０ａには、空調機２０と空調ボックス３０とが設けられる。第２空間１０ｂには、送風機５０と主ダクト６０とが設けられる。以下、それぞれの構成について詳細に説明する。
【００３０】
第１空間１０ａに設けられる空調機２０は、たとえば家庭用の壁掛けエアコンである。空調機２０は、隔壁１８の下方に取り付けられる。これにより、空調機２０は、室１０の上下方向の略中央部に取り付けられる。空調機２０は、外気を取り入れる吸い込み口２１と、吸い込み口２１から吸い込んだ空気を空調空気として吐出する吐き出し口２２とを含む。吸い込み口２１は、上方に設けられ、吐き出し口２２は下方に設けられる。空調機２０は、外気取り入れ口１９の下方に位置する。空調機２０の吸い込み口２１は上方に位置するため、外気取り入れ口１９からの外気を効率よく空調機２０に取り入れることができる。また、吐き出し口２２の横方向（長手方向）の寸法Ｌ１（図３）は、空調機２０の横方向寸法と略同一である。隔壁１８および一対の側壁１１には、結露防止のために断熱材が取り付けられることが好ましい。
【００３１】
空調機２０の下方には、空調ボックス３０が設けられる。空調ボックス３０は、空調機２０から送り出された空調空気を送風機５０に送り出すものである。図５は、空調制御室１から空調ボックス３０を取り出して示す斜視図である。空調ボックス３０は、概略的には、風受け材３１と、風受け材３１から連なる筐体４０とを備える。空調ボックス３０の下方には、４つの脚部４９が設けられていてもよい。
【００３２】
空調ボックス３０の上方には、風受け材３１が設けられる。風受け材３１は、空調機２０の下方に離れて配置され、空調機２０から送り出される空調空気を受け入れる。風受け材３１の上端と空調機２０の吐き出し口２２の下端との離隔距離は、たとえば２ｃｍ以上２０ｃｍ以下であることが好ましい。２ｃｍ以上離れていれば、メンテナンスの際に風受け材３１を空調制御室１から取り出しやすくなり、離隔距離が２０ｃｍ以下であれば、空調機２０からの空調空気が空調ボックス３０に入りやすくなるためである。
【００３３】
風受け材３１は、平面視略Ｕ字形状であり、前枠３２と、前枠３２の両端部からつながる一対の側枠３３とを含む。一対の側枠３３は、略Ｌ字形状であり、縦部３３ａと、縦部３３ａの下端から筐体４０に向かって延びる横部３３ｂとを含む。これにより、風受け材３１の横幅寸法Ｌ２を筐体４０の横幅寸法Ｌ３よりも大きくすることができる。また、風受け材３１の横幅寸法Ｌ３は、空調機２０の吐き出し口２２の横幅寸法Ｌ１よりも大きい。これにより、空調機２０から吐き出される空調空気を漏れなく空調ボックス３０に導くことができる。
【００３４】
筐体４０は、風受け材３１に気密性を保って接続され、風受け材３１を通過した空気を受け入れる。筐体４０は、一対の側面４１と、前面４２と、後面４３とで囲まれている。筐体４０は、上方が開口し、下方が閉鎖する略箱形状である。筐体４０は、上方領域４４と下方領域４７とに分けられる。上方領域４４では、フィルタで空気を清浄化し、下方領域４７では、上方領域４４で清浄化した空気を送風機５０へ導く。
【００３５】
上方領域４４には、フィルタ（図示せず）が設けられる。下方領域４７には、特に図３（ｂ）に示すように、後面４３に送風機５０を取り付ける２つの穴部４８が形成されている。
【００３６】
送風機５０は、筐体４０に送られてきた空調空気を主ダクト６０に向けて送り出す。送風機５０は、たとえば送風用ファンである。送風機５０は、第２空間１０ｂに設けられている。送風機５０は、筐体４０の後面４３に取り付けられる。
【００３７】
主ダクト６０は、第２空間１０ｂに配置され、長手方向の一方端が送風機５０と気密性を保って接続され、長手方向の他方端が複数の部屋に送り込む分岐ダクト６２（図１）と接続される。空調制御室１が各階に設けられない場合、空調制御室１を２階に設け、主ダクト６０を上方だけではなく、下方に分岐させて１階と２階の屋内空間に空調空気を送り出すように設けてもよい。
【００３８】
このような構成により、従来の空調システムのように、空調機を大型の筐体内に設置する必要がないため、空調制御室１自体を小型化することができ、コストを抑えることが可能となる。また、風受け材３１を設けることで、空調機２０からの空調空気が漏れることを抑えることができるため、結露を防止することができるとともに、空調機２０の暖冷房能力を確保することが可能となる。
【００３９】
＜空調空気の流れについて＞
図４を参照して、空調機２０を運転させた場合の、空気の流れについて説明する。図４の矢印は、空気および空調空気の流れを示している。
【００４０】
空調機２０の電源をオンにすると、外気取り入れ口１９から空調制御室１内に外気が吸引される。吸引された外気は、空調機２０の吸い込み口２１から吸い込まれ、熱変換されて空調機２０の吐き出し口２２から空調空気となって吐き出される。空調空気は、風受け材３１からそのすべてが受け取られ、筐体４０の上方領域４４を通って清浄化され、下方領域４７を通って送風機５０に送り出される。
【００４１】
この場合、図３（ｂ）に示すように、空調機２０の吐き出し口２２の横幅寸法Ｌ１は、風受け材３１の横幅寸法Ｌ２よりも小さいため、空調機２０から送り出される空調空気をほとんどすべて風受け材３１で受け取ることが可能となる。つまり、空調空気の流路を風受け材３１に収束することができる。そのため、空調機２０の空調空気を風受け材３１の外に逃さないようにすることができ、結露を防止することができるとともに、空調機２０の冷暖房能力を確保することができる。
【００４２】
さらに、送風機５０に送り出された空調空気は、主ダクト６０を通り、図１に示すように、分岐ダンパ６１を通って、複数の分岐ダクト６２で分岐され、吹出し口７０から各部屋に空調空気を送り出される。
【００４３】
＜空調制御室のメンテナンスについて＞
図２および図３（ａ）を参照して、空調制御室１のメンテナンスの作業について説明する。
【００４４】
作業者は、ドア本体１６を開けるだけで空調機２０のメンテナンスを行うことができる。また、筐体４０のメンテナンスを行う場合には、筐体４０を室１０の外に取り出す必要がある。この場合、まず、筐体４０から風受け材３１を取り外す。上述のように、風受け材３１は、筐体４０にネジ固定されているため、作業者は、ドライバを使って筐体４０から風受け材３１を取り外す。図３（ｂ）に示すように、風受け材３１の横幅寸法Ｌ２は、筐体４０の横幅寸法Ｌ３よりも大きく設定されているが、風受け材３１の上下方向の寸法Ｌ６は、筐体４０の上下方向の寸法Ｌ５よりも小さく形成されている。このため、風受け３１だけを容易に取り外すことができる。
【００４５】
さらに、筐体４０は、前壁１３の開口部の横幅寸法Ｌ４よりもかなり小さく設けられている。このため、横幅寸法の大きい風受け材３１さえ取り外してしまえば、筐体４０を容易に室１０の外に取り外すことができる。このように、風受け材３１と筐体４０を取り外し可能に設け、筐体４０の横幅寸法を風受け材３１の横幅寸法よりも小さくして、スリム型とすることで、容易にメンテナンスを行うことができる。
【００４６】
なお、本実施の形態における空調制御室１は、建物１００に設けられるとして説明したが、空調制御室１単体として個別に提供してもよい。
【００４７】
（実施の形態２）
図６〜図８を参照して、本実施の形態２の空調制御室１Ａについて説明する。図６は、本実施の形態に係る空調制御室１Ａの内部構成を模式的に示す断面図である。図７は、本実施の形態に係る空調制御室１Ａの風受け材３１Ａおよび筐体４０を取り出して示す図である。図８は、本実施の形態に係る空調制御室１Ａにおける空気の流れを示す説明図である。
【００４８】
空調制御室１Ａは、実施の形態１と同様に、建物１００内に一つの部屋として設けられている。つまり、空調制御室１Ａは、実施の形態１の空調制御室１と同様に、建物１００自体の立壁（間仕切壁または外壁）により構成された一対の側壁１１、後壁１２、および、前壁１３によって囲まれた室（機械室）である。空調制御室１Ａ（１）の平面形状は、典型的には、建築設計上の１モジュール（９０ｃｍ〜１００ｃｍ程度）を一辺とする正方形状である。つまり、空調制御室１Ａ（１）を取り囲む各立壁の幅は、８０ｃｍ以上１１０ｃｍ以下である。
【００４９】
また、空調制御室１Ａは、実施の形態１と同様に、隔壁１８によって、前壁１３（ドア本体１６）側の第１空間１０ａと、後壁１２側の第２空間１０ｂとに仕切られている。隔壁１８は、空調制御室１Ａ（１）の奥行き方向における略中央位置に設けられている。ドア本体１６の高さ寸法、すなわち前壁１３の開口高さＨ１は、１７０ｃｍ以上である。また、床壁１４を基準とした場合における隔壁１８の下端高さＨ２は、たとえば７０ｃｍ以上１２０ｃｍ以下である。
【００５０】
空調機２０は、隔壁１８の上下方向中央位置よりも下方に設置されており、ドア本体１６の上端高さよりも下方に位置している。そのため、空調機２０と、床壁１４上に設置（載置）された空調ボックス３０Ａ（３０）とが、前壁１３のドア本体１６に対面するように配置されている。なお、図６（および図４）に示した例では、空調ボックス３０Ａ（３０）の筐体４０の全体が、隔壁１８よりも下方に位置している。この場合、筐体４０の上端面の一部が隔壁１８の下端面と近接した状態で対面してもよい。筐体４０は、その上端部が隔壁１８の上下方向位置と重なるように配置されてもよく、この場合には、筐体４０の上端部の後面が隔壁１８の前面と接するように配置されることが望ましい。これにより、空調機２０からの空調空気が第２空間１０ｂ側へ漏れることを防止できる。
【００５１】
空調機２０と（全閉状態の）ドア本体１６との間、および、空調機２０と側壁１１との間の少なくとも一方には、空調機２０の運転停止時（中間期）に空気の流路となり得る隙間（空間）が設けられている。これにより、中間期は空調機２０を通らない空気の流れができるため、圧力損失を抑えることができ、送風機５０の消費電力を低く抑えることができる。
【００５２】
本実施の形態では、複数階建ての建物１００内に空調制御室１Ａが一室のみ配置され、１つの空調制御室１Ａで各階の部屋の空調を担う。空調制御室１Ａは、たとえば、建物１００の２階の非居室１１７に面して設けられる。そのため、ドア本体１６を開放すると、空調機２０および空調ボックス３０Ａ（３０）の全体が、非居室１１７側に露出する。
【００５３】
この場合、主ダクトおよび送風機が２つずつ設けられる。すなわち、空調制御室１Ａ内には、空調機２０と、空調ボックス３０Ａと、２つの送風機５０と、２階用の主ダクト６０と、１階用の主ダクト６３とが設けられている。
【００５４】
２つの送風機５０の一方は、１階の居室１１１，１１２用であり、１階用の主ダクト６３の一端に接続されている。２つの送風機５０の他方は、２階の居室１１５，１１６用であり、２階用の主ダクト６０の一端に接続されている。１階用の主ダクト６３は、送風ユニット５の下端から下方に延びて空調制御室１Ａの床壁１４を貫通し、１階の天井空間１２０に設けられた分岐ダンパ６１に他端が接続されている。２階用の主ダクト６０は、送風ユニット５の上端から上方に延びて空調制御室１Ａの天壁１５を貫通し、２階の天井空間（屋根裏空間）１２０に設けられた分岐ダンパ６１に他端が接続されている。主ダクト６０，６３の各々は、分岐ダンパ６１を介して複数の分岐ダクト６２に分岐している。
【００５５】
＜送風ユニットについて＞
本実施の形態では、空調ボックス３０Ａの筐体４０と２つの送風機５０とによって、送風ユニット５が構成されている。空調制御室１Ａの内部において、空調機２０は送風ユニット５とは別に設けられているため、送風ユニット５だけでチャンバボックスを構成している。空調ボックス３０Ａの風受け材３１Ａは、送風ユニット５の上端部に取り付けられている。風受け材３１Ａについては後述する。なお、実施の形態１では、空調ボックス３０の筐体４０と１つの送風機５０とによって、送風ユニット５が構成される。
【００５６】
送風ユニット５は、機能的な観点からすれば、筐体４０の上方領域４４およびフィルタ３６を含むフィルタユニット６と、筐体４０の下方領域４７および少なくとも一つの送風機５０を含むファンユニット７とを備えている。フィルタユニット６が、第１空間１０ａに配置され、ファンユニット７が、第１空間１０ａおよび第２空間１０ｂに跨って配置されている。なお、筐体４０は、上方領域４４と下方領域４７とに分割されていることが望ましい。これにより、送風ユニット５を、フィルタユニット６とファンユニット７とに分解することができる。
【００５７】
図７（ａ）に示されるように、筐体４０の前面を構成する前面板は、筐体４０の本体枠に締結部材８２（たとえばネジ）により固定されており、締結部材８２を外すことで、非居室１１７側から筐体４０内部のメンテナンスを行うこともできる。前面板は、フィルタユニット６およびファンユニット７のそれぞれに設けられる。これにより、フィルタユニット６およびファンユニット７を個別に検査およびメンテナンスすることができる。
【００５８】
また、図示されるように、送風機５０が筐体４０の下方領域４７の内部に配置されていてもよい。この場合、下方領域４７の奥行き寸法は、（送風機５０の寸法に対応して）上方領域４４の奥行き寸法よりも大きい。送風機５０は、筐体４０の下方領域４７の奥に設けられている。送風機５０の振動および位置ずれを防止するために、送風機５０の上下には防振材（図示せず）が設けられる。
【００５９】
上記のように送風ユニット５が上下で分解可能である場合、フィルタユニット６を取り外すことにより、ファンユニット７の送風機５０のメンテナンスを容易に行うことができる。
【００６０】
フィルタユニット６の上端部には、筐体４０の開口を覆うようにフィルタ３６が設けられている。筐体４０の上部の開口は、縁部４０ａを除く上面全体に設けられており、空調機２０の吐き出し口２２と対面する。空調機２０の前面の位置は、筐体４０の前面の位置よりも後方に位置している。
【００６１】
フィルタ３６は、筐体４０の開口から上方に露出し、空調機２０からの空調空気を受ける上面部３５を有する。本実施の形態では、フィルタ３６は、たとえば略水平に配置される。そのため、本実施の形態では、空調機２０からの空調空気を受ける上面部３５が、フィルタ３６そのものの上面である。なお、筐体４０の開口から露出する上面部３５は、フィルタ３６を取り付けるための取り付け部材（図示せず）の上面であってもよい。本実施の形態では、フィルタ３６、および、その取り付け部材を総称して「フィルタ部材」という。
【００６２】
＜風受け材について＞
本実施の形態では、筐体４０の上端部（フィルタユニット６の上端部）に取り付けられた風受け材３１Ａが、実施の形態１の風受け材３１と異なっている。つまり、送風ユニット５の空調ボックス３０Ａは、実施の形態１の風受け材３１に代えて、風受け材３１Ａを備えている。
【００６３】
実施の形態１の風受け材３１は、平面視略Ｕ字形状であり、筐体４０の前面４２および両側面４１の上端部に取り付けられていたのに対し、実施の形態２の風受け材３１Ａは、筐体４０の前面４２の上端部にのみ取り付けられている。風受け材３１Ａは、フィルタユニット６（筐体４０）の前方側の上端部から上方に立ち上がる立ち上がり部３７と、立ち上がり部３７の上端から後方側へ突出する突出部３８とを含む。
【００６４】
風受け材３１Ａは、典型的にはＬ字状断面を有しており、立ち上がり部３７および突出部３８は、互いに直交（公差）する。すなわち、立ち上がり部３７は垂直方向に延び、突出部３８は水平方向に延びている。立ち上がり部３７は、筐体４０の前面４２と略面一となるように配置されている。なお、突出部３８は、多少傾斜していてもよい。
【００６５】
図７（ａ）を参照して、本実施の形態における風受け材３１Ａの横幅寸法Ｌ９は、筐体４０の横幅寸法Ｌ３と略同一であり、空調機２０の吐き出し口２２の横幅寸法Ｌ１（図３）よりも小さい。つまり、風受け材３１Ａの横幅寸法Ｌ９は、実施の形態１の風受け材３１の横幅寸法Ｌ２（図３（ｂ））よりも小さいため、風受け材３１Ａを取り外さなくても筐体４０（空調ボックス３０Ａ）を空調制御室１Ａから取り出すことができる。なお、筐体４０の横幅寸法Ｌ３は、ドア本体１６を開放した状態における前壁１３の開口幅未満である。
【００６６】
風受け材３１Ａの取り付け状態の一例が図７（ｂ）に示されている。風受け材３１Ａは、立ち上がり部３７の下端から後方に延びる取付フランジ３９をさらに有している。取付フランジ３９は、突出部３８と略平行に配置されている。風受け材３１Ａは、取付フランジ３９が、筐体４０の縁部４０ａにネジ等の締結部材８０で固定されることによって、筐体４０の上端部に取り付けられる。なお、風受け材３１Ａは、一枚の薄板が折り曲げられることにより形成される。
【００６７】
風受け材３１Ａの高さ寸法Ｌ８は、少なくとも空調機２０の下端と筐体４０の上端との離隔距離Ｌ７よりも大きい。離隔距離Ｌ７は、たとえば５ｃｍ以上である。両者が５ｃｍ以上離れていれば、送風ユニット５を空調制御室１Ａから取り出さなくても、筐体４０の上方からフィルタ３６のメンテナンス（清掃など）を行うことができる。風受け材３１Ａの高さ寸法Ｌ８は、たとえば６ｃｍ以上２０ｃｍ以下である。
【００６８】
風受け材３１Ａは、空調機２０の風向フラップ２３の可動範囲を考慮して、風受け材３１Ａの上端高さが、風向フラップ２３の上端部２３ａよりも上方、または、上端部２３ａと同じ高さに位置することが望ましい。風向フラップ２３は、その上端部２３ａを軸にして、上下に動くことで風向を変えている。風向フラップ２３の傾きによって、空調機２０の吐き出し口２２からの空調空気の吐出方向が変化するが、いずれの場合であっても、吐出方向は下方かつ前方（ドア本体１６側）である。
【００６９】
風受け材３１Ａの立ち上がり部３７は、風向フラップ２３の上端部２３ａよりも上方、または、上端部２３ａと同じ高さまで延び、立ち上がり部３７の高さ範囲に、風向フラップ２３の高さ方向の可動範囲が含まれていることが望ましい。これにより、風受け材３１Ａは、風向フラップ２３の傾きに関わらず、空調機２０の吐き出し口２２から吐出される空調空気を効果的にフィルタユニット６内（筐体４０内）に導くことができる。そのため、風受け材３１Ａは、空調空気をフィルタユニット６内へと導く「ガイド部材」として機能している。詳細については後述する。
【００７０】
風受け材３１Ａの内面側、すなわち立ち上がり部３７の後面側および突出部３８の下面側には、断熱部材３４が設けられていることが好ましい。断熱部材３４は、たとえばポリオレフィン系の材料で形成される。なお、風受け材３１Ａの材質は、筐体４０の材質と同じであってよく、たとえば亜鉛、鉄などの金属である。
【００７１】
＜空気の流れについて＞
図８（ａ）〜（ｃ）を参照して、風受け材３１Ａを設ける場合と設けない場合の、空気の流れについて説明する。図８の矢印は、空気および空調空気の流れを示している。
【００７２】
空調機２０の電源をオンにすると、外気取り入れ口１９から空調制御室１Ａ内に外気が吸引される。吸引された外気は、空調機２０の吸い込み口２１から吸い込まれ、熱変換されて空調機２０の吐き出し口２２から空調空気となって吐き出される。
【００７３】
図８（ａ）に示すように、風受け材３１Ａを設けない場合、空調機２０の吐き出し口２２から吐出された空調空気は、フィルタ３６を通過せず、フィルタ３６の上面部３５に沿ってドア本体１６へと向かう気流が生じる場合がある。空調制御室１Ａと非居室１１７との間に温度差がある場合、空調空気が当たったドア本体１６には、結露が発生してしまう。
【００７４】
これに対して、図８（ｂ）に示すように、本実施の形態に係る風受け材３１Ａを設けた場合、フィルタ３６の上面部３５に沿った空調空気は、風受け材３１Ａに受け止められ、フィルタ３６側に戻される。つまり、風受け材３１Ａによって、フィルタユニット６内に空調空気が導かれる。これにより、ドア本体１６に空調空気が当たらないため、ドア本体１６における結露の発生を防止できる。
【００７５】
図８（ｃ）に示すように、本実施の形態に係る風受け材３１Ａの上端高さは風向フラップ２３の上端部２３ａよりも上方、または、上端部２３ａと同じ高さに位置するので、風向フラップ２３が可動範囲の最も高い位置に設定された場合（風向フラップ２３の傾きが水平に近い場合）であっても、風受け材３１Ａに空調空気が当たるため、空調空気をフィルタユニット６内に送り込むことができる。すなわち、ドア本体１６における結露の発生を防止できるとともに、効率的にフィルタユニット６内に空調空気を導くことができる。
【００７６】
以上説明したように、本実施の形態における風受け材３１Ａは、空調機２０から吐出される空調空気のうち、フィルタ３６の上面部３５に沿う気流（空調空気）を受け止めるため、空調空気が送風ユニット５外へ流れ出ることを防止できる。つまり、空調機２０から吐出される空調空気を、送風ユニット５内に漏れなく送り込むことができる。これにより、空調空気を各部屋に効率的に給気することができる。また、ドア本体１６に空調空気が当たらないため、防音効果も見込まれる。
【００７７】
なお、風受け材３１Ａの形状は、空調機２０の吐き出し口２２から吐出される空調空気を受けて、フィルタユニット６に導くことができる形状であれば、図示したような形状に限定されない。つまり、風受け材３１Ａは、断面視においてＬ字状でなくてもよく、たとえば円弧状など湾曲形状であってもよい。より具体的には、立ち上がり部３７および突出部３８の双方が湾曲し、これらが滑らかに連続していてもよい。
【００７８】
また、本実施の形態では、板状のフィルタ３６が水平に取り付けられると説明したが、傾斜した状態で取り付けられていてもよい。このような場合であっても、フィルタ３６を取り付けるための取り付け部材が、筐体４０の上端部に露出して設けられるような場合、風受け材３１Ａによって上記と同様の効果が得られる。たとえば、図５に示すように、筐体４０の上端の開口に複数の取り付け部材３６ａが掛け渡されている場合、取り付け部材３６ａの上面に沿う気流が生じ得るためである。つまり、本実施の形態の風受け材３１Ａによれば、フィルタユニット６から露出するフィルタ部材（フィルタ、および、その取り付け部材の少なくとも一方）の上面部に沿う気流がドア本体１６側へ流れ出ることを防止することができる。
【００７９】
なお、各実施の形態において、建物１００は２階建てであるとしたが、複数階建ての場合の階数は問わず、たとえば３階建て、４階建て等であってもよい。この場合、空調制御室１は、たとえば２階毎等、複数階毎に設けられてもよい。
【００８０】
また、各実施の形態では、空調機２０の下方に空調ボックス３０（３０Ａ）が設けられるとして説明したが、この配置に限定されない。空調機２０と空調ボックス３０とは、離れて設けられていればよく、空調機２０が下方に設けられ、空調ボックス３０が上方に設けられていてもよいし、空調機２０と空調ボックス３０が同じ高さに設けられていてもよい。
【００８１】
さらに、各実施の形態では、空調機２０は隔壁１８に設けられるとしたが、隔壁１８ではなく、たとえば側壁１１など空調機２０が設けられる箇所は限定されない。
【００８２】
また、本実施の形態１において、送風機５０を第２空間１０ｂに設けるとしたが、第１空間１０ａに設けてもよく、第２空間１０ｂには、少なくとも主ダクト６０が設けられていればよい。
【００８３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００８４】
１，１Ａ  空調制御室、５  送風ユニット、６  フィルタユニット、７  ファンユニット、１０  室、１０ａ  第１空間、１０ｂ  第２空間、１１  側壁、１２  後壁、１３  前壁、１４  床壁、１５  天壁、１６  ドア本体、１６ａ  下端縁、１７  ドア枠、１８  隔壁、１９  外気取り入れ口、１９ａ  枠体、１９ｂ  羽板、２０  空調機、２１  吸い込み口、２２  吐き出し口、２３  風向フラップ、３０，３０Ａ  空調ボックス、３１，３１Ａ  風受け材、３２  前枠、３３  側枠、３３ａ  縦部、３３ｂ  横部、３４  断熱部材、３５  上面部、３６  フィルタ、３７  立ち上がり部、３８  突出部、３９  フランジ部、４０  筐体、４１側面、４２  前面、４３  後面、４４  上方領域、４７  下方領域、４８  穴部、４９  脚部、５０  送風機、６０，６３  主ダクト、６１  分岐ダンパ、６２  分岐ダクト、７０  吹き出し口、１００  建物、１１０  室内、１１１，１１２  居室、１１３  非居室、１１４  階段、１１５，１１６  居室、１１７  非居室。
【図１】
2020159680.tif 000003
【図２】
2020159680.tif 000004
【図３】
2020159680.tif 000005
【図４】
2020159680.tif 000006
【図５】
2020159680.tif 000007
【図６】
2020159680.tif 000008
【図７】
2020159680.tif 000009
【図８】
2020159680.tif 000010